(57)【要約】【課題】  データがトランスポートを介して不当に取得されることを防ぐトランスポートロック装置を提供する。【解決手段】  キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端をトランスポートの開口端と揃える。【選択図】        図１
0003112055.tif 000002
【実用新案登録請求の範囲】
【請求項１】
電子デバイスのトランスポートのロック装置であって、キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端をトランスポートの開口端と揃えることを特徴とする電子デバイスのトランスポートロック装置。
【請求項２】
前記キャリアが上ハウジング、と下ハウジングと、及び蓋体とを含むことを特徴とする請求項１に記載の電子デバイスのトランスポートロック装置。
【請求項３】
前記蓋体内にロック部材を設けることを特徴とする請求項２に記載の電子デバイスのトランスポートロック装置。
【請求項４】
前記操作部材に突起柱を形成し、該突起柱が該被動部材に形成するスライド溝に連結することを特徴とする請求項１に記載の電子デバイスのトランスポートロック装置。
【請求項５】
前記被動部材が、該キャリア上に組みつけられることを特徴とする請求項１に記載の電子デバイスのトランスポートロック装置。
【請求項６】
前記被動部材上に少なくとも一以上の凸部を設けることを特徴とする請求項１に記載の電子デバイスのトランスポートロック装置。
【請求項７】
前記被動部材に被動体を設けることを特徴とする請求項６に記載の電子デバイスのトランスポートロック装置。
【請求項８】
前記接触部に係合部を設けることを特徴とする請求項７に記載の電子デバイスのトランスポートロック装置。
【請求項９】
前記被動部材上に少なくとも一以上の凹部を設けることを特徴とする請求項１に記載の電子デバイスのトランスポートロック装置。
【請求項１０】
前記被動部材に被動体を設けることを特徴とする請求項９に記載の電子デバイスのトランスポートロック装置。
【請求項１１】
前記被動体に係合部を設けることを特徴とする請求項１０に記載の電子デバイスのトランスポートロック装置。
【請求項１２】
前記ロック部材上に接触部を設けることを特徴とする請求項１に記載の電子デバイスのトランスポートロック装置。
【請求項１３】
前記ロック部材が接合体と当止部材とを含むことを特徴とする請求項１に記載の電子デバイスのトランスポートロック装置。
【請求項１４】
電子デバイスのトランスポートのロック装置であって、キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端がトランスポートの開口端より内側に位置して凹状を形成することを特徴とする電子デバイスのトランスポートロック装置。
【請求項１５】
前記キャリアが上ハウジング、と下ハウジングと、及び蓋体とを含むことを特徴とする請求項１４に記載の電子デバイスのトランスポートロック装置。
【請求項１６】
前記蓋体内にロック部材を設けることを特徴とする請求項１５に記載の電子デバイスのトランスポートロック装置。
【請求項１７】
前記操作部材に突起柱を形成し、該突起柱が該被動部材に形成するスライド溝に連結することを特徴とする請求項１４に記載の電子デバイスのトランスポートロック装置。
【請求項１８】
前記被動部材が、該キャリア上に組みつけられることを特徴とする請求項１４に記載の電子デバイスのトランスポートロック装置。
【請求項１９】
前記被動部材上に少なくとも一以上の凸部を設けることを特徴とする請求項１４に記載の電子デバイスのトランスポートロック装置。
【請求項２０】
前記被動部材に被動体を設けることを特徴とする請求項１９に記載の電子デバイスのトランスポートロック装置。
【請求項２１】
前記接触部に係合部を設けることを特徴とする請求項２０に記載の電子デバイスのトランスポートロック装置。
【請求項２２】
前記被動部材上に少なくとも一以上の凹部を設けることを特徴とする請求項１４に記載の電子デバイスのトランスポートロック装置。
【請求項２３】
前記被動部材に被動体を設けることを特徴とする請求項２２に記載の電子デバイスのトランスポートロック装置。
【請求項２４】
前記被動体に係合部を設けることを特徴とする請求項２３に記載の電子デバイスのトランスポートロック装置。
【請求項２５】
前記ロック部材上に接触部を設けることを特徴とする請求項１４に記載の電子デバイスのトランスポートロック装置。
【請求項２６】
前記ロック部材が接合体と当止部材とを含むことを特徴とする請求項１４に記載の電子デバイスのトランスポートロック装置。
【考案の詳細な説明】
【技術分野】
【０００１】
この考案は電子デバイスのトランスポートをロックする電子デバイスのトランスポートロック装置に関する。
【背景技術】
【０００２】
目下、電子デバイスには、例えばＵＳＢなどのトランスポートを伝送インターフェースとする記憶装置が設けられている。係るデバイスは技術の向上にともない機能が増強され、容量も増加している。
【０００３】
しかしながら、電子デバイスに関する技術の急速な発展によって使用ますます便利になる反面、他人によってデータを不当に複製されるなどの多くの問題が派生している。かかる欠点を如何に防ぐことが一つの課題となっている。
【考案の開示】
【考案が解決しようとする課題】
【０００４】
この考案は、前記課題を解決するためになされたものであって、その目的は、データがトランスポートを介して不当に取得されることを防ぐ電子デバイスのトランスポートロック装置を提供することにある。
【課題を解決するための手段】
【０００５】
本考案者は従来の技術に見られる欠点に鑑み鋭意研究を重ねた結果、キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端をトランスポートの開口端と揃えるトランスポートロック装置の構造によって課題を解決できる点に着眼し、かかる知見に基づいて本発明を完成させた。
【０００６】
すなわち、本考案に係る電子デバイスのトランスポートロック装置は、キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端をトランスポートの開口端と揃えることを特徴とする。
【０００７】
本考案に係るトランスポートロック装置において、キャリアが上ハウジング、と下ハウジングと、及び蓋体とを含むことが好ましい。また、本考案に係るトランスポートロック装置において、蓋体内にロック部材を設けることが好ましい。また、本考案に係るトランスポートロック装置において、操作部材に突起柱を形成し、該突起柱が該被動部材に形成するスライド溝に連結する被動部材が、該キャリア上に組みつけられることが好ましい。また、本考案に係るトランスポートロック装置において、被動部材上に少なくとも一以上の凸部を設ける被動部材に被動体を設ける接触部に係合部を設ける被動部材上に少なくとも一以上の凹部を設けることが好ましい。また、本考案に係るトランスポートロック装置において、被動部材に被動体を設ける被動体に係合部を設けることが好ましい。また、本考案に係るトランスポートロック装置において、ロック部材上に接触部を設けることが好ましい。また、本考案に係るトランスポートロック装置において、ロック部材が接合体と当止部材とを含むことが好ましい。
【０００８】
また、本考案に係る電子デバイスのトランスポートロック装置は、キャリアに操作部材を設け、該操作部材に少なくとも一以上の被動部材を具え、該被動部材上にロック部材を組み付け、該被動部材を介して該ロック部材を電子デバイスに設けたトランスポート内に単独で組み付け、且つ該ロック部材の末端がトランスポートの開口端より内側に位置して凹状を形成することに特徴がある。
【０００９】
本考案に係るトランスポートロック装置において、キャリアが上ハウジング、と下ハウジングと、及び蓋体とを含むことが好ましい。また、本考案に係るトランスポートロック装置において、蓋体内にロック部材を設けることが好ましい。また、本考案に係るトランスポートロック装置において、操作部材に突起柱を形成し、該突起柱が該被動部材に形成するスライド溝に連結することが好ましい。また、本考案に係るトランスポートロック装置において、被動部材が、該キャリア上に組みつけられることが好ましい。また、本考案に係るトランスポートロック装置において、被動部材上に少なくとも一以上の凸部を設けることが好ましい。また、本考案に係るトランスポートロック装置において、被動部材に被動体を設けることが好ましい。また、本考案に係るトランスポートロック装置において、接触部に係合部を設けることが好ましい。また、本考案に係るトランスポートロック装置において、被動部材上に少なくとも一以上の凹部を設けることが好ましい。また、本考案に係るトランスポートロック装置において、被動部材に被動体を設けることが好ましい。また、本考案に係るトランスポートロック装置において、被動体に係合部を設けることが好ましい。また、本考案に係るトランスポートロック装置において、ロック部材上に接触部を設けることが好ましい。また、本考案に係るトランスポートロック装置において、ロック部材が接合体と当止部材とを含むことが好ましい。
【考案の効果】
【００１０】
以上説明したように、本考案に係るトランスポートロック装置は、トランスポートを介して、電子デバイスに設けられる保存装置等から不当にデータを取得する行為を確実に防ぐという利点がある。
【考案を実施するための最良の形態】
【００１１】
以下、この考案に係るトランスポートロック装置を添付図面に基づいて詳述する。
【００１２】
図１〜図３はこの考案に係るトランスポートロック装置を示す図である。この考案に係るトランスポートロック装置は、電子デバイスのトランスポートをロックするものである。電子デバイスとしては、特に限定されず、コンピュータ本体やその周辺機器、デジタルカメラ等の携帯電子機器等である。トランスポートとしては、例えば、ＵＳＢ（Ｕｎｉｖｅｒｓａｌ  Ｓｅｒｉａｌ  Ｂｕｓ）インターフェイス等である。この考案の形態ではトランスポートがＵＳＢインターフェイス（レセプタクルということがある。）である場合について説明する。
【００１３】
この考案に係るトランスポートロック装置は、図１〜図３に示すように、キャリア１１に操作部材１１１を設け、この操作部材１１１が少なくとも一以上の被動部材１１２を備え、この被動部材１１２上にロック部材１１４を組み付け、被動部材１１２を介してこのロック部材１１４を電子デバイスに設けたトランスポート１１５内に単独で組み付け、且つ該ロック部材１１４の末端１１４ｃをトランスポート１１５の開口端１１５ａと揃える構成か、または、ロック部材１１４の末端１１４ｃがトランスポート１１５の開口端１１５ａより内側に位置して凹状を形成する構成によって、トランスポート１１５を介して不当にデータを取得する行為を防ぐものである。
【００１４】
キャリア１１は、上ハウジング１１ａと下ハウジング１１ｂと蓋体１１ｃとからなる。上ハウジング１１ａは、凹状に形成されている。上ハウジング１１ａ内には、その内部を長手方向に下ハウジング１１ｂが組み付けられる下ハウジング部１１ｊと蓋体１１ｃが組み付けられる蓋体部１１ｋとの２つに仕切る仕切壁１１ｍが設けられている。上ハウジング１１ａの蓋体部１１ｋ側の端部には、口状の凹部１１ｆが設けられている。上ハウジング１１ａの下ハウジング部１１ｊ側の端部には、上方が開口され、中央に仕切１１ｏを有する上凹部１１ｎが設けられている。また、上ハウジング１１ａの下ハウジング部１１ｊの縁部は、下ハウジング１１ｂを嵌合させるために段状に形成されている。下ハウジング部１１ｊ内の両側部近傍には、側部に沿って延びて対向する摺動板１１ｐがそれぞれ設けられている。これら摺動板１１ｐには、２つの略半円状の凹部（第１凹部１１ｑと第２凹部１１ｒ）がそれぞれ対向した位置に設けられている。下ハウジング部１１ｊ内の摺動板１１ｐ間の略中央部には、その長手方向に延びるほぼ長円状の操作貫通孔１１ｄが設けられている。また、下ハウジング部１１ｊ内の仕切壁１１ｍの近傍には、円筒状の取付部１１ｓがその幅方向に２つ並設されている。
【００１５】
下ハウジング１１ｂ及び蓋体１１ｃは、上ハウジング１１ａを２つに分割した形状に形成されている。下ハウジング１１ｂは、凹状に形成されている。下ハウジング１１ｂの上凹部１１ｎと対向する側の端部（第１端部ということがある。）には、その上凹部１１ｎとで被動部材貫通孔（図示せず）を形成するための上方が開放された下凹部１１ｔが設けられている。下ハウジング１１ｂの残りの端部（第２端部ということがある。）の外面の両側部近傍には、係合部１１ｉがそれぞれ突出している。下ハウジング１１ｂ内の下凹部１１ｔ近傍には、凹溝１１ｇが設けられている。
【００１６】
下ハウジング１１ｂ内の上ハウジング１１ａの取付部１１ｓと対向する箇所には、支軸１１ｅがそれぞれ突出しており、取付部１１ｓ内に支軸１１ｅを挿入すると共に下ハウジング部１１ｊの縁部に下ハウジング１１ｂの縁部を嵌合することにより、上ハウジング１１ａに下ハウジング１１ｂが組み付けられるようになっている。これらの上ハウジング１１ａと下ハウジング１１ｂとの間に、操作部材１１１と被動部材１１２が移動可能に設けられている。また、下ハウジング１１ｂ内の支軸１１ｅと第１端部との略中央部には、その長手方向に延びる略長円状の操作凹部１１ｕがそれぞれ設けられている。
【００１７】
蓋体１１ｃは、下ハウジング１１ｂ側の端部が開口された凹状に形成されている。蓋体１１ｃの開口された端部近傍には、係合部１１ｉと係合する支持部１１ｈが設けられていると共に、蓋体１１ｃの残りの端部内には、凹部１１ｆと係合する凸部１１ｖが設けられており、蓋体１１ｃが上ハウジング１１ａ及び下ハウジング１１ｂに着脱可能に取り付けられるようになっている。また、蓋体１１ｃは、その内部にロック部材１１４を収容するためのロック部材収容部１１ｗが設けられている。
【００１８】
操作部材１１１は、上ハウジング１１ａと下ハウジング１１ｂとの間にその長手方向に移動可能に設けられている。操作部材１１１は、略矩形板状に形成されている。操作部材１１１の両側部は、上ハウジング１１ａ側に折り曲げられて略コ字状に形成されている。操作部材１１１の幅は、両側部が摺動板１１ｐに摺接して操作部材１１１が上ハウジング１１ａ内をその長手方向に移動し得るような寸法で形成されている。操作部材１１１の両側部の外表面には、第１凹部１１ｑ又は第２凹部１１ｒに係合する略半円状の操作凸部１１１ｃがそれぞれ設けられている。この操作凸部１１１ｃが第１凹部１１ｑと係合して一対の被動部材１１２を開成状態に保持する開成位置と操作凸部１１１ｃが第２凹部１１ｒと係合して一対の被動部材１１２を閉成状態に保持する閉成位置とを形成するように操作部材１１１が上ハウジング１１ａと下ハウジング１１ｂとの間にその長手方向に移動可能に設けられている。操作部材１１１の上ハウジング１１ａ側の表面の略中央部には、操作貫通孔１１ｄを貫通して先端が上ハウジング１１ａの外表面から突出して操作部材１１１を移動させる操作部１１１ｂが設けられている。また、操作部材１１１の下ハウジング１１ｂ側の表面の略中央部であって両側部近傍の箇所には、下ハウジング１１ｂの操作凹部１１ｕに挿入して係合する断面円形状の突起柱１１１ａがそれぞれ突出している。
【００１９】
被動部材１１２は、操作部材１１１と下ハウジング１１ｂとの間に移動可能に設けられている。被動部材１１２は、支軸１１ｅを軸に回動可能に一対設けられている。被動部材１１２は、キャリア１１の長手方向に延び、上ハウジング１１ａと下ハウジング１１ｂとの間に位置される基部１１２ｆと、被動部材貫通孔から延びる係合部１１２ｇとからなる。基部１１２ｆは、キャリア１１の長手方向に延び、角部がＲ状の細長の略矩形板状に形成されている。蓋体１１ｃ側の基部１１２ｆの端部（第１端部ということがある。）近傍には、支軸１１ｅが挿通する軸支孔１１２ｄが設けられており、被動部材１１２が支軸１１ｅを軸に回動可能に設けられている。また、基部１１２ｆには、その長手方向に延び、突起柱１１１ａが挿通して移動するスライド溝１１２ａが設けられている。スライド溝１１２ａは、軸支孔１１２ｄ側の端部が例えば下ハウジング１１ｂの側部に近接するように傾斜して形成されている。すなわち、一対の被動部材１１２に設けられたスライド溝１１２ａは、平面視略ハの字状に形成されている。これにより、操作凸部１１１ｃと第１凹部１１ｑとが係合したときには突起柱１１１ａが軸支孔１１２ｄ側の端部に当接又は近接して一対の係合部１１２ｇの先端部間の距離が長いすなわち一対の係合部１１２ｇが開いた開成状態になると共に、操作凸部１１１ｃと第２凹部１１ｒとが係合したときには突起柱１１１ａが残りの端部（延出部側の端部）に当接又は近接して一対の係合部１１２ｇの先端部間の距離が短いすなわち一対の係合部１１２ｇが閉じた閉成状態になるようになっている。
【００２０】
係合部１１２ｇは、基部１１２ｆの第１端部と反対側の端部（第２端部ということがある。）であって他方の係合部１１２ｇ側の側部側の端部から基部の長手方向に延びて形成されている。係合部１１２ｇの長さは、被動部材貫通孔から延び、この延びた部分に被動体１１３が取り付けられ得る寸法で形成されている。２つの係合部１１２ｇの外表面であって他方の係合部１１２ｇと対向する側と反対側の外表面には、凸部１１２ｂがそれぞれ設けられている。一方の係合部の凸部１１２ｂは、係合部１１２ｇの先端部近傍に設けられ、この凸部１１２ｂと基部との間が凹部１１２ｃとして形成されている。他方の係合部１１２ｇの凸部１１２ｂは、係合部１１２ｇの中央部より先端部側に設けられ、この凸部１１２ｂと係合部の先端部側との間が凹部１１２ｃとして形成されている。
【００２１】
被動体１１３は、各係合部１１２ｇが係合部１１２ｇ毎に挿入される略矩形状の挿入部１１３ｂと、これら挿入部１１３ｂの一方の端部（係合部１１２ｇが挿入される側の端部）の下端部（下ハウジング１１ｂ側の端部）に設けられ、下ハウジング１１ｂの凹溝１１ｇに挿入されて係合する係合片１１３ｃとからなる。被動体１１３の上ハウジング１１ａ側は、挿入部１１３ｂ間に空間が形成されていると共に、被動体１１３の下ハウジング１１ｂ側の下表面は、平板状に形成されている。この被動体１１３の一方の端部の下端部が下表面に対して略直交する下方に折り曲げられてからさらに重なるように折り返されて係合片１１３ｃが形成されている。この被動体１１３は、各係合部１１２ｇがそれぞれ挿入部１１３ｂ内に挿入されると共に、係合片１１３ｃが凹溝１１ｇに挿入されて係合し、かつ、一方の端部近傍が上ハウジング１１ａの上凹部１１ｎと下ハウジング１１ｂの下凹部１１ｔとで挟持されるようにキャリア１１に設けられる。他方の挿入部１１３ｂと反対側の各挿入部１１３ｂの外表面には、係合部１１２ｇの凸部１１２ｂが出没する出没孔１１３ａがそれぞれ設けられている。
【００２２】
この考案に係るトランスポートロック装置は、次のように組み立てられている。まず、操作部１１１ｂを上ハウジング１１ａの操作貫通孔１１ｄに挿入して操作部材１１１を上ハウジング１１ａに組み付ける。このとき、操作部１１１ｂの操作凸部１１１ｃを例えば第２凹部１１ｒに係合させる。また、一対の被動部材１１２の係合部１１２ｇに被動体１１３の２つの挿入部１１３ｂをそれぞれ挿通させた後に、軸支孔１１２ｄに支軸１１ｅが挿通されると共に被動体１１３の係合片１１３ｃが凹溝１１ｇに挿入されて係合するように一対の被動部材１１２を被動体１１３と共に下ハウジング１１ｂに組み付ける。このとき、一対の被動部材１１２が閉成状態になるように位置決めする。
【００２３】
位置決め後、この下ハウジング１１ｂを一対の被動部材１１２及び被動体１１３と共に上ハウジング１１ａに組み付ける。すなわち、支軸１１ｅを取付部１１ｓ内に挿入すると共に操作部材１１１の突起柱１１１ａをスライド溝１１２ａを介して操作凹部１１ｕに挿入して係合しつつ、上ハウジング１１ａの下ハウジング部１１ｊの縁部に下ハウジング１１ｂの縁部を嵌合することにより、上ハウジング１１ａに下ハウジング１１ｂが組み付けられる。次に、下ハウジング１１ｂの係合部１１ｉと支持部１１ｈとが係合すると共に、上ハウジング１１ａの凹部１１ｆと凸部１１ｖとが係合するように、蓋体１１ｃを上ハウジング１１ａ及び下ハウジング１１ｂに取り付けることにより、トランスポートロック装置が組み付けられる。なお、蓋体１１ｃを取り付けるときに、ロック部材収容部１１ｗにロック部材１１４を収容するようにしてもよい。
【００２４】
次に、このトランスポートロック装置を用いてロック部材１１４を単独で電子デバイスのトランスポート１１５内に設ける場合について説明する。
【００２５】
まず、操作部１１１ｂを被動部材１１２の係合部１１２ｇ側に移動させ、一対の被動部材１１２を閉成状態に保持させる。このとき、操作凸部１１１ｃが第２凹部１１ｒと係合して一対の被動部材１１２がロック状態に保持されている。この状態のまま、一対の被動部材１１２の係合部１１２ｇをロック部材１１４の当止部材１１４ｂの開口部からロック部材１１４内に挿入する。
【００２６】
ロック部材１１４は、接合体１１４ａと当止部材１１４ｂとからなる。接合体１１４ａは、略矩形筒体状に形成されている。接合体１１４ａには、ロック部１１４ｆや係合部１１４ｄが設けられている。接合体１１４ａには、トランスポート１１５内に挿入したときにトランスポート１１５の係合部（図示せず）と係合する係合凹部１１４ｇが設けられている。当止部材１１４ｂは、接合体１１４ａの一方の開口部から接合体１１４ａ内に一部が挿入されると共に、接合体１１４ａの一方の開口部を閉塞する閉塞部である末端１１４ｃを有している。末端１１４ｃには、接合体１１４ａ内に挿入されたときに、接合体１１４ａのロック部や係合部と係合する係合部が設けられている。また、末端１１４ｃには、一対の被動部材１１２を挿入するための開口部が設けられていると共に、この開口部に連通する内部には、被動部材１１２の係合部の凸部１１２ｂが係合する係合部（図示せず）が設けられている。
【００２７】
そして、一対の被動部材１１２の係合部１１２ｇを当止部材１１４ｂの開口部からロック部材１１４内に挿入した後に、操作部１１１ｂを蓋体１１ｃ側にスライド移動するように操作部１１１ｂに力を作用させる。これにより、操作凸部１１１ｃが第２凹部１１ｒから離脱してその係合が解除されて上ハウジング１１ａ及び下ハウジング１１ｂに対して操作部材１１１がスライド移動してから、操作凸部１１１ｃが第１凹部１１ｑに入り込んで係合して一対の被動部材１１２が開成状態に保持される。すなわち、操作凸部１１１ｃの係合が第２凹部１１ｒから第１凹部１１ｑに切り替わるように操作部材１１１がスライド移動すると、突起柱１１１ａがスライド溝１１２ａ内を蓋体１１ｃ側に移動する。そのスライド溝１１２ａが傾斜して形成されているために、突起柱１１１ａの移動に伴ってスライド溝１１２ａを介して一対の被動部材１１２が支軸１１ｅを軸に係合部１１２ｇが互いに離間する方向に回動して一対の被動部材１１２が開成状態になると共に、操作凸部１１１ｃが第１凹部１１ｑと係合して一対の被動部材１１２がロック状態に保持される。このとき、被動部材１１２の係合部１１２ｇの凸部１１２ｂが被動体１１３の出没孔１１３ａから突出してロック部材１１４の係合部に係合して、ロック部材１１４がトランスポートロック装置に保持される。
【００２８】
次に、保持したロック部材１１４とトランスポート１１５の開口端１１５ａとを突き合わせて、トランスポートロック装置をトランスポート１１５側に移動させつつつロック部材１１４をトランスポート１１５内に挿入する。この挿入は、ロック部材１１４の接合体１１４ａの係合凹部とトランスポート１１５の係合部と係合するまで行う。このとき、接合体１１４ａの係合凹部の位置及び末端１１４ｃの厚さを任意に変えることにより、トランスポート１１５の開口端１１５ａと末端１１４ｃの端面とを図７に示すように揃えたり、図８に示すようにトランスポート１１５の開口端１１５ａより内側に末端１１４ｃの端面を位置させることができる。
【００２９】
ロック部材１１４をトランスポート１１５内に挿入した後に、操作部１１１ｂを被動部材１１２の係合部１１２ｇ側にスライド移動するように操作部１１１ｂに力を作用させる。これにより、操作凸部１１１ｃが第１凹部１１ｑから離脱してその係合が解除されて上ハウジング１１ａ及び下ハウジング１１ｂに対して操作部材１１１がスライド移動してから、操作凸部１１１ｃが第２凹部１１ｒに入り込んで係合して一対の被動部材１１２が閉成状態に保持される。すなわち、操作凸部１１１ｃの係合が第１凹部１１ｑから第２凹部１１ｒに切り替わるように操作部材１１１がスライド移動すると、突起柱１１１ａがスライド溝１１２ａ内を係合部１１２ｇ側に移動する。そのスライド溝１１２ａが傾斜して形成されているために、突起柱１１１ａの移動に伴ってスライド溝１１２ａを介して一対の被動部材１１２が支軸１１ｅを軸に係合部１１２ｇが互いに近づく方向に回動して一対の被動部材１１２が閉成状態になると共に、操作凸部１１１ｃが第２凹部１１ｒと係合して一対の被動部材１１２がロック状態に保持される。このとき、被動部材１１２の係合部１１２ｇの凸部１１２ｂが被動体１１３の出没孔１１３ａ内に没入してロック部材１１４の係合部１１２ｇとの係合が解除される。この状態のまま、一対の被動部材１１２の係合部１１２ｇ及び被動体１１３をロック部材１１４から抜く。これにより、ロック部材１１４をトランスポート１１５内に設けることができる。その結果、トランスポート１１５をロックできるので、データがトランスポート１１５を介して不当に取得されることを防ぐことができる。
【００３０】
以上はこの考案の好ましい形態であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【産業上の利用可能性】
【００３１】
以上説明したように本考案に係るトランスポートロック装置は、ロック部材をトランスポート内に設けることができるので、データがトランスポートを介して不当に取得されることを防ぐことができる。
【図面の簡単な説明】
【００３２】
【図１】この考案に係るトランスポートロック装置の分解図である。
【図２】この考案に係るトランスポートロック装置の他の分解図である。
【図３】この考案に係るトランスポートロック装置のその他分解図である。
【図４】この考案に係る操作部材の動作を示した説明図である。
【図５】この考案に係る操作部材の他の動作を示した説明図である。
【図６】この考案に係るロック部材とトランスポートを示した説明図である。
【図７】この考案に係るロック部材をトランスポートに組み付けた状態を示した説明図である。
【図８】この考案の他の実施形態であって、ロック部材をトランスポートに組み付けた状態を示した説明図である。
【符号の説明】
【００３３】
１１  キャリア
１１ａ  上ハウジング
１１ｂ  下ハウジング
１１ｃ  蓋体
１１ｄ  操作貫通孔
１１ｅ  支軸
１１ｆ  凹部
１１ｇ  凹溝
１１ｈ  支持部
１１ｉ  係合部
１１１  操作部材
１１１ａ  突起柱
１１２  被動部材
１１２ａ  スライド溝
１１２ｂ  凸部
１１２ｃ  凹部
１１２ｄ  軸支孔
１１３  被動体
１１３ａ  出没孔
１１３ｂ  挿入部
１１３ｃ  係合片
１１４  ロック部材
１１４ａ  接合体
１１４ｂ  当止部材
１１４ｃ  末端
１１４ｄ  係合部
１１５  トランスポート
１１５ａ  開口端
【図１】
0003112055.tif 000003
【図２】
0003112055.tif 000004
【図３】
0003112055.tif 000005
【図４】
0003112055.tif 000006
【図５】
0003112055.tif 000007
【図６】
0003112055.tif 000008
【図７】
0003112055.tif 000009
【図８】
0003112055.tif 000010